(57)【要約】【課題】遊技機の通過チャッカーにおいて、ゲート部を通過する遊技球の跳ね返りを防止する上で有効な技術を提供する。【解決手段】遊技領域１０４に通過チャッカー１１１が備えられている遊技機であって、通過チャッカー１１１は、遊技球の通過を可能とするゲート部１１５と、ゲート部１１５を通過する遊技球を斜め下方向に誘導する球ガイド部１１７とを有することを特徴とする遊技機。【選択図】  図１
2005006797.tif 000002
【特許請求の範囲】
【請求項１】
遊技領域に通過チャッカーが備えられている遊技機であって、
前記通過チャッカーは、遊技球の通過を可能とするゲート部と、前記ゲート部を通過する遊技球を斜め下方向に誘導する球ガイド部とを有することを特徴とする遊技機。
【発明の詳細な説明】
【０００１】
【発明の属する技術分野】
本発明は、遊技領域に通過チャッカーが配置されている遊技機に関する。
【０００２】
【従来の技術】
遊技領域に通過チャッカーが配置された遊技機の一例が特許文献１（実用新案登録第２６０１５２０号公報）に開示されている。この開示文献においては、通過チャッカーは、ゲート部の下方位置に横送り部材を備え、ゲート部を通過して落下した遊技球を横送り部材によって受けた後、当該遊技球の進路を横向きに変えて側方へ放出するようにした遊技球の誘導技術が記載されている。
【０００３】
上記開示技術は、ゲート部を通過した遊技球が横送り部材の上に落下後、急激に進路を変更する、という視覚的な変化で遊技者の注意を喚起しようとしたものである。ところで、上記の開示技術によれば、横送り部材は、ゲート部から所定の距離を隔てて離間した下方位置に設置されており、ゲート部を通過して落下した遊技球の跳ね返りを許容する構成である。すなわち、ゲート部を通過して落下した遊技球が横送り部材上で跳ね返り、当該ゲート部に配置された球検出部が２度読みをする、いわゆる２重検出の可能性がある。
【０００４】
【特許文献１】
実用新案登録第２６０１５２０号公報
【０００５】
【発明が解決しょうとする課題】
本発明は、かかる点に鑑みてなされたものであり、遊技機の通過チャッカーにおいて、ゲート部を通過する遊技球の跳ね返りを防止する上で有効な技術を提供することを目的とする。
【０００６】
【課題を解決するための手段】
上記課題を達成するため、請求項１に記載の発明が構成される。
請求項１に記載の発明によれば、遊技領域に通過チャッカーを備えた遊技機が構成される。遊技機としては、典型的には、パチンコ機やアレンジボール機等がこれに該当する。本発明に係る遊技機では、通過チャッカーは、遊技球の通過を可能とするゲート部と、ゲート部を通過する遊技球を斜め下方向に誘導する球ガイド部とを有する構成とされる。本発明における「斜め下方向に誘導する」の態様としては、曲面で形成される誘導面によって遊技球を誘導する態様、傾斜状の平面で形成される誘導面によって遊技球を誘導する態様、あるいは階段状に形成される誘導面で遊技球を誘導する態様のいずれをも好適に包含する。また、球ガイド部がゲート部の出口に直に連続して延在する態様は勿論のこと、ガイド部の始端がゲート部の出口に対して所定の間隔、例えば遊技球が当該ゲート部の出口から抜け出る時点で球ガイド部の始端に達する程度の間隔を置いて離間している態様をも好適に包含する。
【０００７】
本発明の通過チャッカーは、かかる構成により、遊技球がゲート部を通過する際、球ガイド部が当該遊技球を斜め下方向へ誘導しながらゲート部を通過させるように作用する。これにより遊技球の跳ね返りを防止あるいは低減することが可能となった。
【０００８】
さらに、本発明の趣旨により、下記に述べる各種の態様を構成することが可能である。
（態様１）
「請求項１に記載の遊技機であって、
前記球ガイド部は、前記ゲート部を通過中の遊技球に概ね接触しつつ当該遊技球を斜め下方向に誘導することを特徴とする遊技機。」
【０００９】
態様１に記載の発明では、請求項１に記載の遊技機において、球ガイド部はゲート部を通過中の遊技球に概ね接触しつつ当該遊技球を斜め下方向に誘導する構成としている。なお「概ね接触しつつ」とは、遊技球に接触した状態を維持する態様をいう。かかる構成によれば、遊技球がゲート部を通過する際、当該遊技球を、球ガイド部に概ね接触した状態を維持しつつ一定方向へ確実に誘導することができる。このため、跳ね返りの防止効果が高められる。
【００１０】
（態様２）
「請求項１または態様１に記載の遊技機であって、
前記球ガイド部の終端部は、少なくとも前記ゲート部の中心を通る鉛直線上まで延出されていることを特徴とする遊技機。」
【００１１】
態様２に記載の発明では、請求項１または態様１に記載の遊技機において、球ガイド部の終端部は、少なくとも前記ゲート部の中心を通る鉛直線上まで延出されている構成とした。かかる構成によれば、球ガイド部の終端部に近接して誘導釘を配置した場合においても、ゲート部を通過した遊技球が直接に誘導釘に当たることを回避し、直当たりに起因する遊技球の跳ね返りを防止あるいは低減することが可能となる。
【００１２】
（態様３）
「請求項１または態様１あるいは２に記載の遊技機であって、
前記球ガイド部の球誘導面は、遊技球の直径よりも大きい曲率の円弧面によって形成されていることを特徴とする遊技機。」
【００１３】
態様３に記載の発明では、請求項１または態様１あるいは２に記載の遊技機において、球ガイド部の球誘導面は、遊技球の直径よりも大きい曲率の円弧面によって形成されている構成とした。かかる構成によれば、ゲート部からの遊技球の落下に対して殆ど抵抗を与えることがない。このため、遊技球の落下方向を規制する構成でありながら、遊技球がゲート部を円滑に通過することになり、しかも跳ね返りを効果的に防止することが可能となる。
【００１４】
（態様４）
「請求項１または態様１〜３のいずれかに記載の遊技機であって、
前記球ガイド部は、前記ゲート部を通過後の遊技球が入賞口に向かって流れるように誘導する構成としたことを特徴とする遊技機。」
【００１５】
態様４に記載の発明では、請求項１または態様１〜３のいずれかに記載の遊技機において、球ガイド部は、ゲート部を通過後の遊技球を入賞口に向かって流れるように誘導する構成としている。かかる構成によれば、ゲート部を通過後の遊技球の入賞確率を高めることができる。
【００１６】
（態様５）
「態様４に記載の遊技機であって、
前記入賞口は、遊技球の入賞を条件として抽選手段による抽選を実施するための始動入賞口であることを特徴とすることを特徴とする遊技機。」
【００１７】
態様５に記載の発明では、態様４に記載の遊技機において、入賞口は、遊技球の入賞を条件として抽選手段による抽選を実施するための始動入賞口である構成とされる。上記の「抽選手段」としては、典型的には、入賞に伴って乱数抽選を行なう手段がこれに該当する。かかる構成によれば、抽選チャンスが得られる始動入賞口へ遊技球を誘導するので、普通の入賞口に誘導する場合に比べて遊技の面白さを高めることができる。
【００１８】
（態様６）
「態様５に記載の遊技機であって、
前記始動入賞口は、遊技球が前記ゲート部を通過することを条件として、または遊技球が前記ゲート部を通過した後の抽選結果に基づいて開放動作される可変入賞口であることを特徴とする遊技機。」
【００１９】
態様６に記載の発明では、態様５に記載の遊技機において、始動入賞口は、遊技球がゲート部を通過することを条件として、または遊技球がゲート部を通過した後の抽選結果に基づいて開放動作される可変入賞口である構成とされる。なお「可変入賞口」は、典型的には、チューリップがこれに該当する。また「抽選結果に基づいて」の態様としては、典型的には、図柄表示装置における普通表示が特定の図柄を表示した場合がこれに該当する。かかる構成によれば、遊技球がゲート部を通過すると、可変入賞口が開放動作され、当該可変入賞口への遊技球の入賞確率が高められる。
【００２０】
（態様７）
「態様５または６に記載の遊技機であって、
前記遊技領域の略中央に遊技装置が配置され、当該遊技装置の側方の下方に前記通過チャッカーが配置され、前記遊技装置の下方でかつ前記通過チャッカーの斜め下方に前記始動入賞口が配置されていることを特徴とする遊技機。」
【００２１】
態様７に記載の発明では、態様５または６に記載の遊技機において、遊技領域の概ね中央に遊技装置が配置され、当該遊技装置の側方の下方に通過チャッカーが配置され、遊技装置の下方でかつ通過チャッカーの斜め下方に始動入賞口が配置されている構成とされる。本発明における「遊技装置」は、典型的には、始動入賞口への遊技球の入賞を条件として図柄変動を実施する図柄表示装置がこれに該当する。かかる構成によれば、遊技装置が比較的大型化しても、通過チャッカーを通過した遊技球を始動入賞口へ効率よく誘導することができる。
【００２２】
（態様８）
「態様７に記載の遊技機であって、
前記球ガイド部と前記始動入賞口との間には、当該球ガイド部にて誘導された遊技球を当該始動入賞口に誘導する複数本の誘導釘が配置されるとともに、当該誘導釘と前記球ガイド部の終端部との間には、遊技球が落下することが可能な間隔が設定されていることを特徴とする遊技機。」
【００２３】
態様８に記載の発明では、態様７に記載の遊技機において、球ガイド部と始動入賞口との間には、球ガイド部にて誘導された遊技球を始動入賞口に誘導する複数本の誘導釘が配置されるとともに、当該誘導釘と球ガイド部の終端部との間には、遊技球が落下することが可能な間隔が設定されている構成とした。なお「始動入賞口に誘導する」態様としては、遊技球が高確率で始動入賞口に入賞するように誘導する態様、あるいは入賞し易くなるように誘導する態様のいずれをも包含する。かかる構成によれば、誘導釘によって、球ガイド部を経て誘導された遊技球のその後の流れ方向に変化を与えることができる。例えば、始動入賞口へ向かう流れと、始動入賞口に向かわない流れとに分かれることで、ゲーム性に変化を付加することができる。
【００２４】
（態様９）
「態様８に記載の遊技機であって、
前記始動入賞口が、前記ゲート部を通過した後の抽選結果に基づいて開放動作される可変入賞口であり、前記複数本の誘導釘によって形成される球誘導経路が上下２段に形成され、下段の球誘導経路は、開放状態の前記可変入賞口へ遊技球を誘導するように配置されていることを特徴とする遊技機。」
【００２５】
態様９に記載の発明では、態様８に記載の遊技機において、始動入賞口が、ゲート部を通過した後の抽選結果に基づいて開放動作される可変入賞口であり、複数本の誘導釘によって形成される球誘導経路は、上下２段に形成され、下段の球誘導経路は、開放状態の可変入賞口へ遊技球を誘導するように配置されている構成とされる。なお「開放状態の可変入賞口へ遊技球を誘導する」態様としては、開放状態の可変入賞口へ遊技球が高確率で入賞するように誘導する態様、あるいは入賞し易くなるように誘導する態様のいずれをも包含する。かかる構成によれば、可変入賞口の開放時における当該可変入賞口への始動入賞率をより高めることができる。
【００２６】
【発明の実施の形態】
以下、本発明の実施の形態に係るパチンコ機１０１につき図面を参照しつつ詳細に説明する。パチンコ機１０１における主要な構成部材である遊技盤１０３の全体構成が図１に示されている。なおパチンコ機１０１は、本発明における「遊技機」の一例である。図１に示すように、本実施の形態に係るパチンコ機１０１の遊技盤１０３の表面に形成された遊技領域１０４には、遊技装置としての図柄表示装置１０５、特別図柄入賞口としての始動入賞口１０７、大入賞口（チャッカー）１０９、普通図柄始動口としての通過チャッカー１１１が、特に符号を付さない誘導釘、風車、一般入賞口といった周知の要素とともに、それぞれ適所に配置されている。
【００２７】
詳しくは遊技領域１０４の概ね中央部に図柄表示装置１０５が配置され、当該図柄表示装置１０５の下方略中央部に始動入賞口１０７が配置され、当該始動入賞口１０７の下方に大入賞口（チャッカー）１０９が配置され、図柄表示装置１０５の左右の側方の下方領域に通過チャッカー１１１が配置されている。なお、本実施の形態に係るパチンコ機１０１は、いわゆる「第１種」と呼ばれるタイプに類別される。上記の始動入賞口１０７が本発明における「入賞口」に対応し、通過チャッカー１１１が本発明における「通過チャッカー」に対応する。また、遊技球１１０が始動入賞口１０７に入賞されると、それに伴い乱数抽選が実行され、その抽選結果が当たりになると、いわゆる大当たり状態となる。上記の乱数抽選を実行する手段が態様５における「抽選手段」に対応する。そして乱数抽選の結果が図柄表示装置１０５に表示される。
【００２８】
図２〜図４に本発明の主要部に関わる通過チャッカー１１１の詳細が示されている。通過チャッカー１１１は、遊技盤１０３の盤面に固着される基板部１１３と、当該基板部１１３の前面側に配置されるゲート部１１５と、当該ゲート部１１５の下方領域に配置される球ガイド部１１７とを有する。そしてそれら基板部１１３、ゲート部１１５および球ガイド部１１７は一体に形成されている。
ゲート部１１５は、遊技球１１０が通過することが可能な程度の大きさに形成された上下方向に貫通する通過口１１９と、当該通過口１１９における遊技球１１０の通過を検出する球検出部（センサー）１２１とを備えている。なお、遊技球１１０のゲート部１１５の通過が検出されたときは、図柄表示装置１０５における普通図柄が変動表示され、特定の出目が表示されると、始動入賞口１０７（チューリップ）が開放動作する構成とされている。すなわち、始動入賞口１０７は態様６における「可変入賞口」に対応する。
【００２９】
球ガイド部１１７は、通過口１１９の左端または右端のいずれかに一方に連接されて下方に延出されている。すなわち、球ガイド部１１７は、図柄表示装置１０５の左側に配置される通過チャッカー１１１については、通過口１１９の左端に設けられ、右側に配置される通過チャッカー１１１については、通過口１１９の右端に設けられ、それぞれ遊技球１１０が通過口１１９を通過する際、当該遊技球１１０の落下方向を規制する構成とされる。具体的には、通過口１１９を通過する途中で遊技球１１０に接触して当該遊技球１１０を斜め下方向へ誘導する構成とされる。なお、図２〜図４に示す通過チャッカー１１１は、左側の通過チャッカー１１１を示したものである。
【００３０】
球ガイド部１１７は、ゲート部１１５の下面である通過口１１９の出口に直に連続するように形成されている。そして出口に連続して延在する球ガイド部１１７の球誘導面１１７ａは、通過口１１９の出口を始点とする円弧面、本実施の形態においては、遊技球１１０の直径よりもやや大きい曲率の概ね１／４の円弧面によって形成され、球ガイド部１１７の終端部１１７ｂが概ね通過口１１９の中心を通る鉛直線Ｐ上に延出されている。すなわち、球ガイド部１１７の終端部１１７ｂが斜め下方向を向くように設定されており、これにより通過口１１９を通過後の遊技球１１０が斜め下方向に向かって誘導される構成とされる。本実施の形態では、斜め下方向には、図１に示すように始動入賞口１０７が配置されている。したがって、通過口１１９を通過した遊技球１１０は、球ガイド部１１７によって斜め下方の始動入賞口１０７に向かうように誘導される。
【００３１】
なお、球ガイド部１１７の球誘導面１１７ａの延長線上であって、かつ通過口１１９の中心を通る鉛直線Ｐ上から外れた位置には、終端部１１７ｂから所定の間隔を置いて１本の誘導釘１３１が配置され、さらにその誘導釘１３１から概ね遊技球１個分の間隔を置いて複数の誘導釘１３３が斜め下方向の始動入賞口１０７に向かって連続的に配置されている。したがって、球ガイド部１１７を通過した遊技球１１０は、終端部１１７ｂに近接した位置に単独配置される１本の誘導釘１３１と、当該誘導釘１３１に対して遊技球１個分の間隔を置いて連続配置される誘導釘１３３との間に形成された球通路１３５を通って下方へ落下する態様と、複数の連続配置される誘導釘１３３を経て始動入賞口１０７へ誘導される態様とに分岐される構成とされる。
【００３２】
また、複数の連続配置される誘導釘１３３の下方には、球通路１３５を通って下方へ落下した遊技球１１０を始動入賞口１０７へ誘導すべく複数の誘導釘１３７が斜め下方向の始動入賞口１０７に向かって連続的に配置されている。すなわち、通過チャッカー１１１と始動入賞口１０７との間には、上段側の複数の誘導釘１３３および下段側の複数の誘導釘１３７によって上下２列の球誘導経路が形成されている。そして、下段側の複数の誘導釘１３７は、開放状態の始動入賞口１０７に遊技球１１０を誘導する構成とされている。
【００３３】
次に上記のように構成された本実施の形態に通過チャッカー１１１の作用を説明する。通過チャッカー１１１におけるゲート部１１５の通過口１１９を遊技球１１０が通過すると、そのことが球検出部１２１によって検出される。そしてその検出に基づいて図柄表示装置１０５における普通図柄が変動表示され、特定の出目が表示された場合には、始動入賞口１０７が開放動作される。
【００３４】
さて、遊技球１１０がゲート部１１５の通過口１１９を通過する際、当該遊技球１１０は球ガイド部１１７の球誘導面１１７ａにより落下方向を規制される。すなわち、遊技球１１０は球誘導面１１７ａにより斜め下方へと誘導され、これにより当該遊技球１１０の跳ね返りが防止される。その結果、跳ね返りに起因する球検出部１２１の二重検出も防止される。
この場合、本実施の形態では、遊技球１１０は通過口１１９を完全に抜け出る前の時点で球誘導面１１７ａに接触し、その後、当該球誘導面１１７ａに接触しつつ斜め下方へと誘導される構成であり、跳ね返りを許容する要素を有しない構成である。すなわち、本実施の形態では、遊技球１１０を球ガイド部１１７によって一定方向へ誘導しながらゲート部１１５の通過口１１９を通過させる構成のため、より高い跳ね返り防止効果を得ることができる。
【００３５】
また、本実施の形態では、球ガイド部１１７の終端部１１７ｂは、ゲート部１１７の通過口１１９の中心を通る鉛直線Ｐ上に延出している。このため、球ガイド部１１７の終端部１１７ｂに近接して誘導釘１３１を配置した場合においても、通過口１１９を通過した遊技球１１０が誘導釘１３１に対して直当たりすることを回避でき、これにより直当たりに起因する跳ね返りを防止することが可能となる。とりわけ、球ガイド部１１７の球誘導面１１７ａを円弧面によって形成しているため、遊技球１１０の落下方向を規制する構成でありながら、遊技球１１０の通過口１１９の通過をスムーズに行なわせ、かつ跳ね返り防止を効果的に達成することができる。
【００３６】
なお、球誘導面１１７ａによって斜め下方へと誘導された遊技球１１０は、球ガイド部１１７の終端部１１７ｂに近接する誘導釘１３１から球通路１３５を通って落下する流れと、列状に配置された上段側の誘導釘１３５を経て斜め下方の始動入賞口１０７に向かって誘導される流れとに分けられる。このときの遊技球１１０の分岐状態については、釘調整によって自由に調整することができる。
また、球通路１３５を経て落下した遊技球１１０は、列状に配置された下段側の誘導釘１３７で受けられるとともに、当該誘導釘１３７を経て斜め下方の始動入賞口１０７に向かって誘導される。したがって、このとき、始動入賞口１０７が開放状態にあれば、遊技球１１０が当該始動入賞口１０７に入賞する可能性が生ずることになり、遊技の趣向性が向上される。
【００３７】
なお、本実施の形態では、球ガイド部１１７の球誘導面１１７ａを遊技球１１０の直径よりもやや大きい曲率の１／４の円弧面で形成したが、球誘導面１１７ａの曲率および延出長さについては、これに限定されるものではない。例えば、球ガイド部１１７の終端部１１７ｂが通過口１１９の中心を通る鉛直線Ｐを横切って延出する構成としてもよい。また球誘導面１１７ａは、円弧面（曲面）に限らず、所定の傾斜角度で直線的に延在する傾斜面で形成する構成、あるいは所定の傾斜角度で階段状に延在する段付面で形成する構成としてもよい。
【００３８】
また、本実施の形態では、球ガイド部１１７が遊技者から見える構成であるが、この球ガイド部１１７を目隠しする構成、例えばゲート部１１５の前側の壁面を下方へ延在させて球ガイド部１１７を隠蔽する構成に変更してもよい。
また、本実施の形態では、遊技球１１０の始動入賞口１０７への入賞を条件にして図柄変動装置１０５が図柄変動を行なう、いわゆる「第１種」と呼ばれるタイプに類別されるパチンコ機１０１を対象として説明したが、本発明は「第１種」のパチンコ機に限定するものではない。例えば遊技装置として、遊技球１１０の始動入賞口１０７への入賞を条件として１回または２回の開閉動作を行なう入賞口付き電動役物装置を備えた、いわゆる「第２種」に類別されるパチンコ機（通称ハネ物と呼ばれる）に適用してもよい。
【００３９】
【発明の効果】
本発明によれば、遊技機の通過チャッカーにおいて、ゲート部を通過する遊技球の跳ね返りを防止する上で有効な技術が提供されることとなった。
【図面の簡単な説明】
【図１】本発明の実施の形態であるパチンコ機における遊技盤の主要部の構成を示す正面図である。
【図２】通過チャッカーを示す平面図である。
【図３】通過チャッカーを示す正面図である。
【図４】通過チャッカーを示す側面図である。
【符号の説明】
１０１  パチンコ機（遊技機）
１０３  遊技盤
１０４  遊技領域
１０５  図柄表示装置
１０７  始動入賞口
１０９  大入賞口
１１１  通過チャッカー
１１３  基板部
１１５  ゲート部
１１７  球ガイド部
１１７ａ  球誘導面
１１７ｂ  終端部
１１９  通過口
１２１  球検出部
１３１  単独配置の誘導釘
１３３  連続配置の誘導釘
１３５  球通路
【図１】
2005006797.tif 000003
【図２】
2005006797.tif 000004
【図３】
2005006797.tif 000005
【図４】
2005006797.tif 000006